(57)【要約】【課題】  周囲の明るさに悪影響を受けることなく、画像を鮮明に目視できるようにした網膜走査表示装置を提供する。【解決手段】  光を画像情報に応じて変調した被変調光Ｓとして出力する被変調光出力部３と、光透過性を有する光反射部４と、前記被変調光Ｓを該光反射部４に照射し、該光反射部４からの反射光を網膜Ｍ４上に走査して該網膜Ｍ４上に画像を表示する走査部５とを備えた網膜走査表示装置であって、被変調光Ｓの強度を調整する光強度調整手段６を備えたことを特徴とするものである。【選択図】    図１
2005107125.tif 000002
【特許請求の範囲】
【請求項１】
光を画像情報に応じて変調した被変調光として出力する被変調光出力部と、光透過性を有する光反射部と、前記被変調光を該光反射部に照射し、該光反射部からの反射光を網膜上に走査して該網膜上に画像を表示する走査部とを備えた網膜走査表示装置であって、
前記被変調光の強度を調整する光強度調整手段を備えたことを特徴とする網膜走査表示装置。
【請求項２】
外界の明るさを検出する検出部を備え、前記光強度調整手段は、前記検出部が検出した外界の明るさに応じて前記被変調光の強度を調整することを特徴とする請求項1に記載の網膜走査表示装置。
【請求項３】
前記光強度調整手段は、前記検出部が検出する外界の明るさが明るくなると前記被変調光の強度を高めることを特徴とする請求項２に記載の網膜走査表示装置。
【請求項４】
前記光強度調整手段は、前記検出部が検出する外界の明るさが所定の強度以上で所定時間以上継続した場合に、当該所定の強度に応じて前記被変調光の強度を調整することを特徴とする請求項２又は請求項３に記載の網膜走査表示装置。
【請求項５】
手動操作可能な操作部を備え、前記光強度調整手段は、操作部に対する手動操作に対応して前記被変調光の強度を調整することを特徴とする請求項1に記載の網膜走査表示装置。
【請求項６】
前記光反射部の光透過率を変化させる光透過率可変手段を備えたことを特徴とする請求項1乃至請求項５のいずれか1項に記載の網膜走査表示装置。
【請求項７】
前記光透過率可変手段は、前記光反射部の内の眼の視野全体に相当する部分の光透過率を変化させることを特徴とする請求項６に記載の網膜走査表示装置。
【請求項８】
前記光透過率可変手段は、前記光反射部の内の眼の視野の一部に相当する部分の光透過率を変化させることを特徴とする請求項６に記載の網膜走査表示装置。
【請求項９】
外界の明るさを検出する検出部を備え、前記光透過率可変手段は前記検出部が検出する外界の明るさが所定以上になると光透過率を低下させることを特徴とする請求項６乃至請求項８のいずれか1項に記載の網膜走査表示装置。
【請求項１０】
光を画像情報に応じて変調した被変調光として出力する被変調光出力部と、光透過性を有する光反射部と、前記被変調光を該光反射部に照射し、該光反射部からの反射光を網膜上に走査して該網膜上に画像を表示する走査部とを備えた網膜走査表示装置であって、
前記光反射部の光透過率を変化させる光透過率可変手段を備えたことを特徴とする網膜走査表示装置。
【請求項１１】
前記光透過率可変手段は、前記光反射部のうちの眼の視野全体に相当する部分の光透過率を変化させることを特徴とする請求項１０に記載の網膜走査表示装置。
【請求項１２】
前記光透過率可変手段は、前記光反射部のうちの眼の視野の一部に相当する部分の光透過率を変化させることを特徴とする請求項１０に記載の網膜走査表示装置。
【請求項１３】
外界の明るさを検出する検出部を備え、前記光透過率可変手段は、該検出部が検出した外界の明るさに応じて前記光透過率を調整することを特徴とする請求項１０乃至請求項１２のいずれか1項に記載の網膜走査表示装置。
【請求項１４】
前記光透過率可変手段は、前記検出部が検出する外界の明るさが明るくなると前記光透過率を低下させることを特徴とする請求項１３に記載の網膜走査表示装置。
【請求項１５】
前記光透過率可変手段は、前記検出部が検出する外界の明るさが所定の強度以上で所定時間以上継続した場合に、当該所定の強度に応じて前記光透過率を調整することを特徴とする請求項１３又は請求項１４に記載の網膜走査表示装置。
【請求項１６】
手動操作可能な操作部を備え、前記光透過率可変手段は、該操作部に対する手動操作に対応して前記光透過率を調整することを特徴とする請求項１０に記載の網膜走査表示装置。
【発明の詳細な説明】
【技術分野】
【０００１】
この発明は、人間の網膜に画像を直接的に表示できるようにした網膜走査表示装置に関するものである。
【背景技術】
【０００２】
人間の網膜に画像を直接的に表示できるようにした網膜走査表示装置が知られている（特許文献１）。
【特許文献１】特開平１１−２７１６６６号公報
【０００３】
係る網膜走査表示装置１００は図９に示すように、眼鏡型に形成された装置枠体１０１のレンズの部分に光反射部１０２を設けた形状をしている。そして、画像信号で変調された光Ｈをこの光反射部１０２に照射して反射させることにより、この装置使用者の眼Ｍの虹彩Ｍ１で囲まれた瞳孔Ｍ２を通って水晶体Ｍ３に集中させて網膜Ｍ４上に画像を表示するものである。
【０００４】
ところで、前記装置枠体１０１の光反射部１０２を透光性の部材で形成すれば、装置使用者はこの装置から供給された画像を目視できる上に、光反射部１０２を通してこの装置外の風景を目視することができる。このため、この装置使用者は、この装置から供給された画像と周囲の風景とを重ね合わせて楽しむ等の汎用性の高い用い方をすることができる。
【発明の開示】
【発明が解決しようとする課題】
【０００５】
しかし、従来の網膜走査表示装置１００は、前述のように、汎用性の高い用い方をすることができる反面、周囲からの外光１０３が光反射部１０２を通して直接的に装置使用者の眼Ｍに入射するため、装置使用者が画像を目視している際に周囲が予想以上に明るくなった場合には、周囲の明るさに邪魔されて、画像が鮮明に見え難くなるという大きな問題があった。
【０００６】
本発明は、前述の従来技術に鑑みてなされたもので、その目的は、周囲の明るさに悪影響を受けることなく、画像を鮮明に目視できるようにした網膜走査表示装置を提供することにある。
【課題を解決するための手段】
【０００７】
請求項１に記載の発明は、光を画像情報に応じて変調した被変調光として出力する被変調光出力部と、光透過性を有する光反射部と、前記被変調光を該光反射部に照射し、該光反射部からの反射光を網膜上に走査して該網膜上に画像を表示する走査部とを備えた網膜走査表示装置であって、被変調光の強度を調整する光強度調整手段を備えたことを特徴とするものである。
【０００８】
請求項１に記載の発明においては、被変調光出力部が光を画像信号に応じて変調して被変調光を出力する。走査部は、被変調光を光反射部に照射して反射させて、網膜上に画像を表示する。光強度調整手段は、被変調光出力部から出力される被変調光の強度を調整する。
【０００９】
請求項２に記載の発明は、請求項1に記載の網膜走査表示装置において、外界の明るさを検出する検出部を備え、前記光強度調整手段は、前記検出部が検出した外界の明るさに応じて前記被変調光の強度を調整することを特徴とするものである。
【００１０】
請求項３に記載の発明は、請求項２に記載の網膜走査表示装置において、光強度調整手段は、前記検出部が検出する外界の明るさが明るくなると前記被変調光の強度を高めることを特徴とするものである。
【００１１】
請求項４に記載の発明は、請求項２又は請求項３に記載の網膜走査表示装置において、前記光強度調整手段は、前記検出部が検出する外界の明るさが所定の強度以上で所定時間以上継続した場合に、当該所定の強度に応じて前記被変調光の強度を調整することを特徴とするものである。
【００１２】
請求項５に記載の発明は、請求項1に記載の網膜走査表示装置において、手動操作可能な操作部を備え、前記光強度調整手段は、操作部に対する手動操作に対応して前記被変調光の強度を調整することを特徴とするものである。
【００１３】
請求項６に記載の発明は、請求項1乃至請求項５のいずれか1項に記載の網膜走査表示装置において、光反射部の光透過率を変化させる光透過率可変手段を備えたことを特徴とするものである。
【００１４】
請求項７に記載の発明は、請求項６に記載の網膜走査表示装置において、光透過率可変手段は、前記光反射部の内の眼の視野全体に相当する部分の光透過率を変化させることを特徴とするものである。
【００１５】
請求項８に記載の発明は、請求項６に記載の網膜走査表示装置において、光透過率可変手段は、前記光反射部の内の眼の視野の一部に相当する部分の光透過率を変化させることを特徴とするものである。
【００１６】
請求項９に記載の発明は、請求項６乃至請求項８のいずれか１項に記載の網膜走査表示装置において、外界の明るさを検出する検出部を備え、前記光透過率可変手段は前記検出部が検出する外界の明るさが所定以上になると光透過率を低下させることを特徴とするものである。
【００１７】
請求項１０に記載の発明は、光を画像情報に応じて変調した被変調光として出力する被変調光出力部と、光透過性を有する光反射部と、前記被変調光を該光反射部に照射し、該光反射部からの反射光を網膜上に走査して該網膜上に画像を表示する走査部とを備えた網膜走査表示装置であって、前記光反射部の光透過率を変化させる光透過率可変手段を備えたことを特徴とするものである。
【００１８】
被変調光出力部が光を画像信号に応じて変調して被変調光を出力する。走査部は、被変調光を光反射部に照射して反射させて、網膜上に画像を表示する。光透過率可変手段は、光反射部の光透過率を調整する。
【００１９】
請求項１１に記載の発明は、請求項１０に記載の網膜走査表示装置において、光透過率可変手段は、前記光反射部のうちの眼の視野全体に相当する部分の光透過率を変化させることを特徴とするものである。
【００２０】
請求項１２に記載の発明は、請求項１０に記載の網膜走査表示装置において、前記光透過率可変手段は、前記光反射部のうちの眼の視野の一部に相当する部分の光透過率を変化させることを特徴とするものである。
【００２１】
請求項１３に記載の発明は、請求項１０乃至請求項１２のいずれか1項に記載の網膜走査表示装置において、外界の明るさを検出する検出部を備え、前記光透過率可変手段は、該検出部が検出した外界の明るさに応じて前記光透過率を調整することを特徴とするものである。
【００２２】
請求項１４に記載の発明は、請求項１３に記載の網膜走査表示装置において、光透過率可変手段は、前記検出部が検出する外界の明るさが明るくなると前記光透過率を低下させることを特徴とするものである。
【００２３】
請求項１５に記載の発明は、請求項１３又は請求項１４に記載の網膜走査表示装置において、検出部が検出する外界の明るさが所定の強度以上で所定時間以上継続した場合に、当該所定の強度に応じて前記光透過率を調整することを特徴とするものである。
【００２４】
請求項１６に記載の発明は、請求項１０に記載の網膜走査表示装置において、手動操作可能な操作部を備え、前記光透過率可変段は、該操作部に対する手動操作に対応して前記光透過率を調整することを特徴とするものである。
【発明の効果】
【００２５】
請求項１に記載の発明によれば、被変調光の強度を調整する光強度調整手段を設けたので、被変調光の強弱を調整して、周囲の明るさによらず、画像を鮮明に見ることが可能になる。
【００２６】
請求項２に記載の発明によれば、周囲の明るさの程度に応じて被変調光の強弱を自動的に調整するので、操作しなくても、画像を鮮明に見ることができる。
【００２７】
請求項3に記載の発明によれば、周囲の明るさが明るくなると、自動的に被変調光の強度を強めて、網膜に表示される画像を鮮明に認識することができる。
【００２８】
請求項４に記載の発明によれば、周囲の所定以上の明るさが所定時間以上継続した場合に、被変調光の強度を強めるので、画像の明るさが急激に変化することを防止して、画像を見やすくすることができる。
【００２９】
請求項５に記載の発明によれば、手動操作によって被変調光の強度を調整することができる。
【００３０】
請求項６に記載の発明によれば、被変調光の強度を調整することができる上に、光反射部を透過する外光の透過率を変化させることができるので、より画像を鮮明に見ることができる。
【００３１】
請求項７に記載の発明によれば、被変調光の強度を調整することができる上に、光反射部の内の眼の視野全体に相当する部分の光透過率を変化させることができる。
【００３２】
請求項８に記載の発明によれば、被変調光の強度を調整することができる上に、光反射部の内の眼の視野の一部に相当する部分の光透過率を変化させることができる。
【００３３】
請求項９に記載の発明によれば、被変調光の強度を調整することができる上に、外界の所定以上の明るさが所定時間以上継続した場合に、光反射部の光透過率を低下させることができるので、画像の明るさが急激に変化することを防止して、画像が見やすい。
【００３４】
請求項１０に記載の発明によれば、光反射部の光透過率を調整することができるので、周囲の明るさによらず、画像を鮮明に見ることが可能になる。
【００３５】
請求項１１に記載の発明によれば、光反射部の内の眼の視野全体に相当する部分の光透過率を変化させることができる。
【００３６】
請求項１２に記載の発明によれば、光反射部の内の眼の視野の一部に相当する部分の光透過率を変化させることができる。
【００３７】
請求項１３に記載の発明によれば、外界の明るさに応じて、光反射部の光透過率を自動的に調整するので、操作しなくても、画像を鮮明に見ることができる。
【００３８】
請求項１４に記載の発明によれば、外界の明るさが明るくなると、自動的に光反射部の光透過率を低下させるので、画像を鮮明に認識することができる。
【００３９】
請求項１５に記載の発明によれば、外界の明るさが所定以上の強度で所定時間以上継続した場合に、光反射部の光透過率を調整するので、画像の明るさが急激に変化することを防止して画像が見やすい。
【００４０】
請求項１６に記載の発明によれば、必要に応じて、光反射部の光透過率を手動によって調整することができる。
【発明を実施するための最良の形態】
【００４１】
図１乃至図６は第1実施形態を示すこの実施形態の網膜走査表示装置１は、人間の網膜上を走査する被変調光Ｓの強弱を外光Ｇの強弱に応じて調節することができる表示装置である。
【００４２】
図１に示すように、本実施形態の網膜走査表示装置１の装置枠体２を例えば、眼鏡型に形成すれば、この装置使用者はこの装置を頭部に装着して使用できるものである。
【００４３】
図1又は図３に示すように、網膜走査表示装置１は、被変調光出力部３と、光反射部４と、走査部５と、光強度調整手段６とを備えている。
【００４４】
被変調光出力部３は、外部機器７から供給された画像信号Ｐに応じて光を変調して被変調光Ｓとして出力する光学機器である。前述の光強度調整手段６は、被変調光出力部３から出力される被変調光Ｓの強度を外光Ｇの強弱、即ち、周囲の明るさの強弱の程度に応じて調整する光学機器である。
【００４５】
光反射部４は、ガラス等の素材で形成され、光を透過する機能と光を反射する機能とを有する。図１に示すように、装置枠体２を眼鏡型に形成した場合、この光反射部４は、眼鏡のレンズのように装置使用者の眼に対面するように設けられている。
【００４６】
走査部５は、被変調光出力部３から出力された被変調光Ｓを光反射部４に照射し、光反射部４から反射された反射光（被変調光Ｓ）を装置使用者の眼Ｍの虹彩Ｍ１で囲まれた瞳孔Ｍ２を通って水晶体Ｍ３に収束し、網膜Ｍ４上に走査して網膜Ｍ４上に画像を表示するものである。
【００４７】
次に、前述の被変調光出力部３および光強度調整手段６の構成について説明する。左右の両方の眼に対してこの装置１が設けられるが、左眼用と右眼用とは同一構成のため、一方のみについて説明する。図３に示すように、被変調光出力部３は、画像信号処理手段８と、赤色光源９、緑色光源１０、青色光源１１と、赤色光源ドライバ１２，緑色光源ドライバ１３，青色光源ドライバ１４と、コリメートレンズ１５，１６，１７と、波長選択性ミラー１８，１９，２０と、フォーカスレンズ２１とを備えている。そして、画像信号処理手段８は、外部機器７から供給される画像信号Ｐに基づいて、赤色光源９，緑色光源１０、青色光源１１をそれぞれ駆動する赤色光源ドライバ１２、緑色光源ドライバ１３、青色光源ドライバ１４に対して強度変調信号を出力するものである。前記赤色光源９、緑色光源１０、青色光源１１からの出射光は、コリメートレンズ１５，１６，１７によって略平行光線に成形された後に、前記波長選択性ミラー１８，１９，２０によって合波され、フォーカスレンズ２１によって光ファイバ２２に入射される構成になっている。
【００４８】
前記赤色光源９、緑色光源１０、青色光源１１の出力の強弱は可変である。即ち、赤色光源ドライバ１２、緑色光源ドライバ１３、青色光源ドライバ１４から赤色光源９、緑色光源１０、青色光源１１に与える電力を大きくすれば、赤色光源９、緑色光源１０、青色光源１１の発光強度は大きくなり、一方、赤色光源ドライバ１２、緑色光源ドライバ１３、青色光源ドライバ１４から赤色光源９、緑色光源１０、青色光源１１に与える電力を小さくすれば、赤色光源９、緑色光源１０、青色光源１１の発光強度は小さくなる。
【００４９】
光強度調整手段６は、外光を検出する検出部２３（図１および図３に示す）の検知結果に応じて赤色光源ドライバ１２、緑色光源ドライバ１３、青色光源ドライバ１４を制御するものである。光強度調整手段６は、周囲の外光の強弱、即ち、この装置の周囲の明るさの強弱に応じて赤色光源ドライバ１２、緑色光源ドライバ１３、青色光源ドライバ１４ドライバを制御するものである。検出部２３とは、例えば、図1に示すように、装置枠体２の正面に取り付けられて、周囲の明るさのを検出する光学機器である。光強度調整手段６は例えば、マイクロコンピュータによって構成され、内蔵するＲＯＭに格納されているプログラムソフトに基づき所定の動作を実行するものである。
【００５０】
次ぎに、前述の検出部２３が検出した外光の強度に応じて、光強度調整手段６が赤色光源ドライバ１２、緑色光源ドライバ１３、青色光源ドライバ１４を制御する手法について説明する。光強度調整手段６は所定強度の外光が所定時間以上継続した場合に、検出部２３によって検出された強度の外光に対応する強度の光を前記赤色光源９、緑色光源１０、青色光源１１が発光するように赤色光源ドライバ１２、緑色光源ドライバ１３、青色光源ドライバ１４を制御するものである。光強度調整手段６が赤色光源ドライバ１２、緑色光源ドライバ１３、青色光源ドライバ１４を制御する具体的手法について図２に基づき説明する。図２は縦軸が、検出部２３が検出した外光の強度Ｋの強さを示し、横軸が時間の経過を示す。同図において、外光の強度Ｋを示す閾値値ａ１，ａ２，ａ３，ａ４，…が設定されているとする。又、横軸には、外光を検出するための時刻Ｔ１，Ｔ２，Ｔ３，…が一秒間隔で設定されているとする。そして、図２中、実線で示すように、外光の強度Ｋ１が時刻Ｔ１においては閾値値ａ２以上であって閾値値ａ３以下であるが時刻Ｔ２においては、閾値値ａ２以下であって閾値値ａ１以上の場合、即ち、外光の強度が一秒間以上、閾値値ａ１以上を継続した場合には、光強度調整手段６は、前記赤色光源９、緑色光源１０、青色光源１１が、閾値値ａ１に対応する強度になるように赤色光源ドライバ１２、緑色光源ドライバ１３、青色光源ドライバ１４を制御するものである。
【００５１】
又、図２中、点線で示すように、外光の強度Ｋ２が時刻Ｔ１においては閾値値ａ２以上であって閾値値ａ３以下であり、時刻Ｔ２においても同様に、閾値値ａ２以上であって閾値値ａ３以下の場合、即ち、外光の強度が一秒間以上、閾値値ａ２以上を継続した場合には、光強度調整手段６は、前記赤色光源９、緑色光源１０、青色光源１１が、閾値値ａ２に対応する強度になるように赤色光源ドライバ１２、緑色光源ドライバ１３、青色光源ドライバ１４を制御するものである。
【００５２】
又、図２中一点鎖線で示すように、外光の強度Ｋ３が時刻Ｔ１においては閾値値ａ２以上であって閾値値ａ３以下であり、時刻Ｔ２においては、閾値値ａ３以上であって閾値値ａ４以下の場合、即ち、外光の強度が一秒間以上、閾値値ａ３以上を継続した場合には、光強度調整手段６は、前記赤色光源９、緑色光源１０、青色光源１１が、閾値値ａ３に対応する強度になるように赤色光源ドライバ１２、緑色光源ドライバ１３、青色光源ドライバ１４を制御するものである。
【００５３】
以上の説明においては、外光が所定の閾値値以上の値を一秒間以上継続した場合に、光強度調整手段６は、前記赤色光源９、緑色光源１０、青色光源１１の出力が、当該所定の閾値値に対応する強度になるように赤色光源ドライバ１２、緑色光源ドライバ１３、青色光源ドライバ１４を制御するようにした。しかし、検出部２３によって外光を検出する時間を前述のように一秒間に限定せずに、自由に変更することができるようにしても良い。
【００５４】
次ぎに、前述の走査部５について説明する。図３に示すように、走査部５は、水平走査ミラー２４と、凸レンズ２５、２６と、垂直走査ミラー２７と、凸レンズ２８，２９とを備えている。
【００５５】
前記水平走査ミラー２４は回転軸３０によって回転可能に設けられている。水平走査ミラー２４は、回転位置に応じた方向へ被変調光Ｓを反射するものである。前記凸レンズ２５、２６は水平走査ミラー２４によって反射された被変調光Ｓを垂直走査ミラー２７に集中させるものである。
【００５６】
又、垂直走査ミラー２７は回転軸３１を回転中心に揺動可能に設けられている。この垂直走査ミラー２７は、凸レンズ２６を通過した被変調光Ｓを、垂直走査ミラー２７の回転位置に応じた方向へ反射するものである。
【００５７】
又、凸レンズ２８，２９は垂直走査ミラー２７で反射された光被変調光Ｓを装置使用者の眼Ｍの虹彩Ｍ１で囲まれた瞳孔Ｍ２を通って水晶体Ｍ３に集中させることにより、網膜Ｍ４上に画像を表示するものである。
【００５８】
ここで、水平走査ミラー２４は凸レンズ２５の焦点位置に位置し、垂直走査ミラー２７は凸レンズ２６，２８の焦点位置に位置するものである。
【００５９】
次ぎに、前述の光反射部４について説明する。図１に示すように、光反射部４は装置使用者の眼Ｍに対面する光反射面３２を有している。該光反射面３２は回転楕円面で形成されている。該回転楕円面は、図４に示す楕円形３３の長軸Ｌを回転軸として該楕円形３３を回転した場合に、図５に示すように、該楕円形３３の一部が走査した面３２によって形成されるものである。
【００６０】
図４に示す楕円形３３は、二つの焦点Ｍ，Ｎを有している。ここで、楕円形３３の一般的な性質として、図４に示すように、一方の焦点Ｍに配置された光源から出射して該楕円形３３で反射された光は、他方の焦点Ｎに集まるという特性がある。そして、前記光反射面３２は前述のように回転楕円面で形成されているため、図６に示すように、一方の焦点Ｍから出射して該光反射面３２の何れの位置、例えば、図中、ａ、ｂ、ｃ，ｄで反射された光であっても、他方の焦点Ｎに集まるものである。
【００６１】
従って、被変調光Ｓを出射する走査部５が図４に示す楕円形３３の一方の焦点Ｍに位置するように、該走査部５を装置枠体２に取付け、又、他方の焦点Ｎに、装置使用者の眼Ｍが位置するように前記装置枠体２を形成することより、図１に示すように、走査部５から出射して該光反射面３２の何れの位置で反射された光であっても、装置使用者の眼Ｍに集まるように形成されている。
【００６２】
次ぎに、このように構成された網膜走査表示装置１の作用について説明する。装置使用者が網膜走査表示装置１の電源スイッチ（図示せず）を操作して、網膜走査表示装置１を作動させる。光強度調整手段６は、周囲の明るさを検出する検出部２３の出力に基づき、赤色光源ドライバ１２、緑色光源ドライバ１３、青色光源ドライバ１４を制御して、赤色光源９、緑色光源１０、青色光源１１から出力される光の強度を周囲の明るさよりも強くするように調整する。これにより、装置使用者は、周囲の明るさに邪魔されることなく、装置使用者の眼Ｍの網膜Ｍ４上に表示される画像を鮮明に目視することができる。
【００６３】
又、装置の使用中において、周囲の明るさが暗くなったとする。この場合には、光強度調整手段６は、周囲の明るさを検出する検出部２３の出力に基づき、赤色光源ドライバ１２、緑色光源ドライバ１３、青色光源ドライバ１４を制御して、赤色光源９、緑色光源１０、青色光源１１から出力される光の強度を周囲の明るさに応じて弱めるように調整する。これにより、赤色光源ドライバ１２、緑色光源ドライバ１３、青色光源ドライバ１４から赤色光源９、緑色光源１０、青色光源１１に与える電力を小さくすることができるので、省エネルギーに寄与する。
【００６４】
図７は、第２実施形態を示す。この第２実施形態の特徴は、光反射部４１の光透過率が可変に形成され、しかも、この光透過率が周囲の明るさの程度に応じて制御することができるようにした点にある。この第２実施形態の光反射部４１は、第１実施形態の光反射部４と同じ構成の光反射面部４２とこの光反射面部４２の外面に設けた液晶シャッタ４３とを備えた構成である。この液晶シャッタ４３は、与えられる電力の大小によって光透過率の大小が制御されるものである。液晶シャッタ４３の光透過率が大きくなれば、多量の外光Ｇがこの液晶シャッタ４３を通過して装置使用者の眼Ｍに入射し、又、液晶シャッタ４３の光透過率が小さくなれば、この液晶シャッタ４３を通過して装置使用者の眼Ｍに入射する外光Ｇの量が少なくなるものである。
【００６５】
そして、液晶シャッタ４３に印加される電圧は、光透過率可変手段４４によって制御されるものである。この光透過率可変手段４４は、外光の強弱を検出する検出部２３によって検出された周囲の明るさの強弱の程度に応じて、液晶シャッタ４３に与えられる電力の大小を制御して、液晶シャッタ４３の光透過率を制御するものである。
【００６６】
尚、第１実施形態において光強度調整手段６を設けることにより周囲の明るさの程度に応じて被変調光Ｓの強弱を調整することにより、周囲の明るさに邪魔されることなく画像を鮮明に目視できるようにし、又、第２実施形態においては、光反射部４１の光透過率を可変にすると共に、この光透過率を周囲の明るさの強弱に応じて制御する光透過率可変手段４４を設けた。しかし、光強度調整手段６と、光透過率が可変の光反射部４１と、光透過率可変手段４４とを一つの網膜走査表示装置１に一緒に備えるようにしても良い。
【００６７】
又、第1実施形態の光強度調整手段６がタイマーを内蔵し、検出部２３によって検出された外光の明るさの強度が所定以上であって、所定時間以上継続した場合に、所定の明るさに対応する強度に被変調光Ｓの強度を調整するようにしても良い。更に、同様に、第２実施形態の光透過率可変手段４４がタイマーを内蔵し、検出部２３によって検出された外光の明るさの強度が所定以上であって、所定時間以上継続した場合に、所定の明るさに対応する光透過率になるように光反射部４１を調整するようにしても良い。このように構成した場合、周囲の明るさが瞬間的に変化しても、このような瞬間的な変化には追従しない構成になるため、この装置の使用中における装置使用者の違和感を軽減させることができる。
【００６８】
更に又、第1実施形態の光強度調整手段６および第２実施形態の光透過率可変手段４４は、検出部２３によって検出された外光の明るさに応じて被変調光Ｓの強度を調整するようにしたが、光強度調整手段６および光透過率可変手段４４に操作部を設け、装置使用者が手動でこの操作部を操作することによって光強度調整手段６を調整して被変調光Ｓの強度を調整し、又、装置使用者が手動によってこの光透過率可変手段４４調整して外光Ｇに対する光透過率を調整するようにしても良い。
【００６９】
図８は第３実施形態を示す。この第３実施形態の特徴は、第２実施形態の光反射部４１の内の視野の全部、又は、一部に相当する部分５１（図中、点線で示す）のみの光透過率を変化させるようにした点ある。この場合、第2実施形態の液晶シャッタ４３の全体に一様に電圧を印加するように構成すれば、液晶シャッタ４３の光透過率を一様に変化させることができる。又、液晶シャッタ４３に与える電力を液晶シャッタ４３の部分毎に異ならせて与えることができるようにすれば、液晶シャッタ４３の光透過率を部分的に変化させて、例えば、画像表示領域に対応する部分の光透過率を変化させて、上記の作用を奏するようにすることができる。又、画像領域の部分だけ、液晶シャッタにより非透過とし、その他の部分は透過させることにより、画像領域と実像との重なりをなくし、実像との違和感を無くすことが可能である。
【図面の簡単な説明】
【００７０】
【図１】網膜走査表示装置の外観図である。（第1実施形態）
【図２】外光の時間的な変化に対応して光源の強度を調整する作用を説明する説明図である。                                    （第1実施形態）
【図３】網膜走査表示装置の回路構成図である。（第1実施形態）
【図４】光反射部を構成する回転楕円面を形成するための説明図である。                                                        （第1実施形態）
【図５】光反射部を構成する回転楕円面を形成するための説明図である。                                                        （第1実施形態）
【図６】光反射部において、光の反射を説明するための光反射部の正面図である。                                                        （第1実施形態）
【図７】網膜走査表示装置の構成を説明する構成図である。                                                        （第２実施形態）
【図８】光反射部の正面図である。（第３実施形態）
【図９】従来技術の網膜走査表示装置の外観の一部を示す外観図である。
【符号の説明】
【００７１】
１  網膜走査表示装置
３  被変調光出力部
４  光反射部
５  走査部
６  光強度調整手段
２３  検出部
４１  光反射部
４４  光透過率可変手段
【図１】
2005107125.tif 000003
【図２】
2005107125.tif 000004
【図３】
2005107125.tif 000005
【図４】
2005107125.tif 000006
【図５】
2005107125.tif 000007
【図６】
2005107125.tif 000008
【図７】
2005107125.tif 000009
【図８】
2005107125.tif 000010
【図９】
2005107125.tif 000011